(57)【要約】【課題】地震計のＣＰＵの能力に依存することなく、記録媒体を複数搭載し、検出データを記録するためのメモリ容量を増しつつ、地震計における消費電力をより少なくすることを可能にする。【解決手段】地震計１００に備えられる複数の記録媒体８のうち、地震振動に基づく検出データの記録が行われる記録媒体８に対してのみ、ＣＰＵ３との接続を可能とするとともに、検出データ記録用の電力の供給を行うことを可能にする、接続状態の切り替えを行うドライバ９を備える構成にした。【選択図】　　図１
2004085438.tif 000002
【特許請求の範囲】
【請求項１】
地震振動を検出する検出部と、
前記検出部により検出された地震振動に基づく検出データが記録される複数の記録媒体を備える記録部と、を有する地震計であって、
前記記録媒体に、前記検出データを記録するための電力を供給する電力供給部と、
前記記録媒体毎に、前記電力供給部による電力の供給のオン／オフを切り替える切替部と、
を備えたことを特徴とする地震計。
【請求項２】
請求項１に記載の地震計において、
前記検出データの記録が行われる前記記録媒体に対してのみ、前記検出データを記録するための電力の供給を行うように、前記切替部における電力の供給のオン／オフ状態を切り替える切替制御手段を備えたことを特徴とする地震計。
【請求項３】
請求項２に記載の地震計において、
前記記録媒体における前記検出データを記録するための記録領域の有無を判断する判断手段を備え、
前記切替制御手段は、
前記検出データの記録が行われる前記記録媒体において、前記検出データを記録するための記録領域がないと前記判断手段が判断した場合に、当該記録媒体に対する電力の供給を行わないように、前記切替部における電力の供給をオフ状態に切り替えるとともに、
前記判断手段により、前記検出データを記録するための記録領域があると判断された前記記録媒体に対する電力の供給を行うように、前記切替部における電力の供給をオン状態に切り替えることを特徴とする地震計。
【請求項４】
請求項１に記載の地震計において、
前記検出部により地震振動が検出されるまでの間及び前記検出部により検出された地震振動に基づく検出データを前記記録媒体に記録した後、前記検出部が次の地震振動を検出するまでの間、前記全ての記録媒体に対して電力の供給を行わないように、前記切替部における電力の供給をオフ状態に切り替える待機状態切替制御手段を備えたことを特徴とする地震計。
【発明の詳細な説明】
【０００１】
【発明の属する技術分野】
本発明は、地震に係る振動の検出データを記録する地震計に関する。
【０００２】
【従来の技術】
従来、地震計において、検出部が検出した地震振動の検出データは、メモリーカード等の記録媒体に記録される。そして、検出データが記録されたメモリーカードの交換、回収を行い、そのメモリーカードに記録された検出データを取得し、地震の解析が行われている。
特に、例えば、群発地震の観測を行う際、検出部は多数の余震を検出し、その検出された多数の余震の検出データが本震の検出データとともにメモリーカードに記録されるため、検出データを記録するメモリ容量はできるだけ大きい方が望ましい。そこで、従来は、例えば、図３に示されるような、記録部７７に複数のメモリーカードＭＣを備える地震計２００が用いられていた。
【０００３】
【発明が解決しようとする課題】
しかしながら、上記地震計２００におけるＣＰＵ３３とメモリーカードＭＣは直接接続されていたため、ＣＰＵ３３の能力により、その地震計に搭載できるメモリーカードＭＣの数量には制限があった。
また、個々のメモリーカードＭＣは、電源４０と直接接続されていたため、常にメモリーカードＭＣに電流が通電されていたので、メモリーカードＭＣにおいて待機電力が消費されるなど、メモリーカードＭＣを増やせば増やすほど消費電力が大きくなってしまうという問題があった。
【０００４】
本発明の課題は、ＣＰＵの能力に依存することなく、所望する数量のメモリーカードを搭載して検出データを記録するためのメモリ容量を増すことができるとともに、より消費電力が少ない地震計を提供することである。
【０００５】
【課題を解決するための手段】
以上の課題を解決するため、請求項１記載の発明は、
地震振動を検出する検出部（例えば、検出部１０）と、
前記検出部により検出された地震振動に基づく検出データが記録される複数の記録媒体（例えば、記録媒体８）を備える記録部（例えば、記録部７）と、を有する地震計（例えば、地震計１００）であって、
前記記録媒体に、前記検出データを記録するための電力を供給する電力供給部（例えば、バックアップ電源４０）と、
前記記録媒体毎に、前記電力供給部による電力の供給のオン／オフを切り替える切替部（例えば、ドライバ９）と、
を備えたことを特徴とする。
【０００６】
請求項１記載の発明によれば、地震振動に基づく検出データが記録される複数の記録媒体毎に、電力供給部による検出データを記録するための電力の供給のオン／オフを切替部によって切り替えることができるので、複数の記録媒体のうち、必要な記録媒体のみに電力の供給を行うようにすることにより、消費電力をより少なくすることができる。
また、地震計の性能、能力に応じて、使用する記録媒体の数を選択するように、記録媒体に対する電力の供給のオン／オフを切替部によって切り替えることができるので、地震計の性能、能力に依存することなく、より多くの記録媒体を備えることができる。
【０００７】
請求項２記載の発明は、請求項１に記載の地震計において、
前記検出データの記録が行われる前記記録媒体に対してのみ、前記検出データを記録するための電力の供給を行うように、前記切替部における電力の供給のオン／オフ状態を切り替える切替制御手段（例えば、ＣＰＵ３）を備えたことを特徴とする。
【０００８】
請求項２記載の発明によれば、請求項１に記載の発明と同様の効果が得られることは無論のこと、特に、地震計に備えられた複数の記録媒体のうち、検出データの記録が行われる記録媒体に対してのみ、検出データを記録するための電力の供給を行うように、切替制御手段が切替部における電力の供給のオン／オフ状態を切り替えることができるので、地震計に備えられた複数の記録媒体によりメモリ容量が増しているにもかかわらず、消費電力を最小限少なくして記録媒体に検出データを記録することができる。
【０００９】
請求項３記載の発明は、請求項２に記載の地震計において、
前記記録媒体における前記検出データを記録するための記録領域の有無を判断する判断手段（例えば、ＣＰＵ３）を備え、
前記切替制御手段は、
前記検出データの記録が行われる前記記録媒体において、前記検出データを記録するための記録領域がないと前記判断手段が判断した場合に、当該記録媒体に対する電力の供給を行わないように、前記切替部における電力の供給をオフ状態に切り替えるとともに、
前記判断手段により、前記検出データを記録するための記録領域があると判断された前記記録媒体に対する電力の供給を行うように、前記切替部における電力の供給をオン状態に切り替えることを特徴とする。
【００１０】
請求項３記載の発明によれば、請求項２に記載の発明と同様の効果が得られることは無論のこと、特に、地震計に備えられた複数の記録媒体のうち、検出データの記録が行われる記録媒体において、判断手段により、検出データを記録するための記録領域がないと判断された場合に、その記録媒体に対する電力の供給を行わないように切替部をオフ状態に切り替えるとともに、判断手段により、検出データを記録するための記録領域があると判断された記録媒体に対する電力の供給を行うように切替部をオン状態に切り替えるので、より効率的に記録媒体に検出データを記録することができるとともに、より消費電力を少なく記録媒体に検出データを記録することができる。
【００１１】
請求項４記載の発明は、請求項１に記載の地震計において、
前記検出部により地震振動が検出されるまでの間及び前記検出部により検出された地震振動に基づく検出データを前記記録媒体に記録した後、前記検出部が次の地震振動を検出するまでの間、前記全ての記録媒体に対して電力の供給を行わないように、前記切替部における電力の供給をオフ状態に切り替える待機状態切替制御手段（例えば、ＣＰＵ３）を備えたことを特徴とする。
【００１２】
請求項４記載の発明によれば、請求項１に記載の発明と同様の効果が得られることは無論のこと、特に、検出部によって地震振動に基づく検出データが検出されない状態において、待機状態切替制御手段が、全ての記録媒体に対して電力の供給を行わないように、切替部における電力の供給をオフ状態に切り替えるので、地震計の消費電力がより少なくなる地震待機状態とすることができる。
【００１３】
【発明の実施の形態】
以下、図を参照して本発明の実施の形態を詳細に説明する。
図１は、本発明の地震計の構成を示すブロック図である。
地震計１００は、地震振動を検出する検出部１０と、検出部１０が検出した地震振動に関する検出データの記録や出力を行う地震計本体２０と、検出部１０と地震計本体２０とを接続するケーブル３０等を備えている。
【００１４】
検出部１０は、例えば、東西（左右）方向、南北（前後）方向、上下方向の加速度、速度、変位等に基づき振動を検出する振動計等により構成されている。検出部１０により検出された振動にかかる電気信号は、ケーブル３０を介し、地震計本体２０に送信される。
【００１５】
地震計本体２０は、アンプモジュール１と、Ａ／Ｄ変換部２と、ＣＰＵ３と、ＲＯＭ４と、ＲＡＭ５と、コントロール部６と、記録部７と、バックアップ電源４０等により構成されている。
【００１６】
アンプモジュール１は、検出部１０からケーブル３０を介し送信される振動にかかるアナログ信号の電気信号を増幅し、Ａ／Ｄ変換部２へ出力するアンプである。
Ａ／Ｄ変換部２は、アンプモジュール１によって増幅された電気信号（アナログ信号）を、振動値として表したデジタル信号である検出データに変換し、ＣＰＵ３に出力するＡ／Ｄコンバータである。
【００１７】
ＣＰＵ（Ｃｅｎｔｒａｌ　Ｐｒｏｃｅｓｓｉｎｇ　Ｕｎｉｔ）３は、ＲＯＭ（Ｒｅａｄ　Ｏｎｌｙ　Ｍｅｍｏｒｙ）４に格納されている、制御、判断等各種処理用の各種プログラム等を実行して、その処理結果を一時的にＲＡＭ（Ｒａｎｄｏｍ　Ａｃｃｅｓｓ　Ｍｅｍｏｒｙ）５内のワークメモリエリアに格納する。
また、ＣＰＵ３は、切替制御手段として、後述するドライバ９のオン／オフ状態を切り替え、後述するバックアップ電源４０による、記録部７における記録媒体８に対する電力の供給状態を切り替える制御を行う。特に、ドライバ９のオン／オフ状態の切り替えを行うための切替信号を出力する制御を行う。
また、ＣＰＵ３は、判断手段として、後述する記録媒体８に、地震振動に基づく検出データを記録可能な記録領域の有無を判断する制御を行う。また、後述するドライバ９がオン状態であるか、オフ状態であるかの判断を行う制御を行う。
また、ＣＰＵ３は、待機状態切替制御手段として、検出部１０によって検出された地震振動に基づく検出データが入力されない状態において、後述する全ての記録媒体８に対して電力の供給を行わないように、後述する全てのドライバ９をオフ状態に切り替える制御を行い、地震計１００を地震待機状態とする。
【００１８】
コントロール部６は、ＣＰＵ３とアドレス線６ａを介し接続されており、また、後述するドライバ７とコントロール線６ｂを介して接続されている。コントロール部６は、ＣＰＵ３からの切替信号を後述するドライバ９に出力する。
なお、ＣＰＵ３は、後述するドライバ９と、アドレスバスＡＢ，データバスＤＢを介し接続されている。アドレスバスＡＢは、後述する記録媒体８（記録部７）等の場所を示すバスであり、データバスＤＢは、データを運ぶバスである。
【００１９】
記録部７は、検出データを記録するための複数の記録媒体８と、記録媒体８とＣＰＵ３や後述するバックアップ電源４０との接続状態を切り替えるドライバ９とを備えている。
【００２０】
記録媒体８は磁気的、光学的記録媒体、若しくは半導体メモリで構成されている。また、この記録媒体８は記録部７に固定的に設けたもの、若しくは着脱自在に装着するものであり、例えば、メモリーカード等により構成される。また、検出データが記録された記録媒体８を回収することなどによって、検出データを取得し、地震の解析が行われる。
【００２１】
切替部であるドライバ９は、コントロール部６から入力される切替信号に基づき、オン／オフ状態が切り替えられ、ＣＰＵ３（アドレスバスＡＢ，データバスＤＢ）や後述するバックアップ電源４０等と、記録媒体８（記録部７）との接続状態の切り替えを行う。ドライバ９がオン状態である場合は、記録媒体８（記録部７）は、ＣＰＵ３や、後述するバックアップ電源４０等と接続された状態であり、ドライバ９がオフ状態である場合は、記録媒体８（記録部７）は、ＣＰＵ３や、後述するバックアップ電源４０等と切断された状態である。
【００２２】
電力供給部であるバックアップ電源４０は、記録媒体８に対し、検出データを記録するための電力を供給する電源であり、バックアップ電源４０とドライバ９・・・とは、電気線４１を介し接続されている。
【００２３】
次に、本発明の地震計１００の動作を、図２に示されるフローチャートに沿って説明する。
まず、Ａ／Ｄ変換部２からＣＰＵ３へ、検出部１０が検出した地震振動に基づく地震トリガー及び検出データが入力されると（ステップＳ１；Ｙｅｓ）、ＣＰＵ３は、オン状態のドライバ９の有無を判断する（ステップＳ２）。ＣＰＵ３が、オン状態のドライバ９がないと判断すると（ステップＳ２；Ｎｏ）、ＣＰＵ３は、コントロール部６にドライバ９のオン／オフ状態を切り替える切替信号である接続用信号を出力し（ステップＳ３）、コントロール部６は、その接続用信号に基づき、所定のドライバ９をオン状態とする（ステップＳ４）。このオン状態となったドライバ９に対応した記録媒体８には、バックアップ電源４０から検出データを記録するための電力が供給されるとともに、記録媒体８は、ＣＰＵ３と接続可能となる。
【００２４】
次いで、ＣＰＵ３は、そのオン状態であるドライバ９に対応した記録媒体８における、地震振動に基づく検出データの記録が可能な記録領域の有無を判断する（ステップＳ５）。ＣＰＵ３が、その記録媒体８において検出データの記録が可能な記録領域がないと判断すると（ステップＳ５；Ｎｏ）、ＣＰＵ３は、コントロール部６にその記録媒体８に対応したドライバ９のオン／オフ状態を切り替える切替信号である切断用信号を出力し（ステップＳ６）、コントロール部６は、その切断用信号に基づき、その記録媒体８に対応するドライバ９をオフ状態とする。このドライバ９がオフ状態となったことにより、そのドライバ９に対応した記録媒体８は、バックアップ電源４０や、ＣＰＵ３との接続を切断される（ステップＳ７）。そして、ステップＳ３に戻り、ＣＰＵ３は、先程とは異なるドライバ９の切替信号である接続用信号を出力する。
【００２５】
一方、ＣＰＵ３が、その記録媒体８における検出データの記録が可能な記録領域があると判断すると（ステップＳ５；Ｙｅｓ）、ＣＰＵ３は、オン状態であるドライバ９を介し、検出データを記録媒体８に記録する（ステップＳ８）。そして、ステップＳ１に戻る。
【００２６】
また、ステップＳ２において、ＣＰＵ３が、オン状態のドライバ９があると判断すると（ステップＳ２；Ｙｅｓ）、ステップＳ５へ進み、そのオン状態であるドライバ９に対応した記録媒体８における、検出データの記録が可能な記録領域の有無を判断する。
【００２７】
なお、ステップＳ１において、ＣＰＵ３に地震トリガーが入力されない際は（ステップＳ１；Ｎｏ）、地震トリガーの入力があるまで待機する。
【００２８】
このように、本発明の地震計１００に備えられた複数の記録媒体８のうち、地震振動に基づく検出データの記録が行われる記録媒体８に対してのみ、ＣＰＵ３との接続を可能とするとともに、検出データを記録するための電力の供給を行うために、ドライバ９のオン／オフ状態を切り替えることができる。よって、地震計１００に備えられた複数の記録媒体８全ての待機電力は必要とせず、実際に検出データを記録する対象の記録媒体８のみの電力消費で済むので、メモリ容量を増やすためにより多くの記録媒体８を備えた場合においても、より消費電力が少ない状態で、記録媒体８に検出データを記録することができる。
【００２９】
特に、検出データの記録が行われる記録媒体８において、検出データを記録するための記録領域がなくなった場合には、その記録媒体８への電力の供給を行わないように、その記録媒体８に対応するドライバ９をオフ状態に切り替えるとともに、検出データを記録するための記録領域がある、他の記録媒体８に対する電力の供給を行うように、他の記録媒体８に対応するドライバ９をオン状態に切り替えることにより、より効率的に記録媒体８に検出データを記録することができるとともに、より消費電力を少なく記録媒体８に検出データを記録することができる。
【００３０】
また、地震トリガーの入力がなく、地震振動に基づく検出データの記録が行われない地震待機状態において、待機状態切替制御手段としてのＣＰＵ３が当該全ての記録媒体８のバックアップ電源４０をオフすることにより、さらに消費電力の少ない地震計１００とすることができる。
【００３１】
また、地震計１００に備えられた複数の記録媒体８のうち、検出データが記録される記録媒体８のみ、ＣＰＵ３との接続が可能となるので、地震計１００におけるＣＰＵ３に対し、備えられた全ての記録媒体分の負荷がかかることはない。よって、地震計１００において、ＣＰＵ３の能力に依存することはほとんどなく、より多くの記録媒体８を備えることができる。
【００３２】
なお、以上の実施の形態においては、電力を供給する記録媒体８は、検出データの記録が行われる記録媒体８のみとしたが、本発明はこれに限定されるものではなく、複数備えられた記録媒体８のうち、ＣＰＵ３に余計な負荷がかからない範囲において、いくつかの記録媒体８に通電が行われ、検出データが記録されることを待機するようにしてもよい。
また、本発明は、以上の実施の形態に限定されるものではなく、具体的な細部構造等については適宜に変更可能であることは勿論である。
【００３３】
【発明の効果】
請求項１記載の発明によれば、地震振動に基づく検出データが記録される複数の記録媒体毎に、電力供給部による検出データを記録するための電力の供給のオン／オフを切替部によって切り替えることができるので、複数の記録媒体のうち、必要な記録媒体のみに電力の供給を行うようにすることにより、消費電力をより少なくすることができる。
また、地震計の性能、能力に応じて、使用する記録媒体の数を選択するように、記録媒体に対する電力の供給のオン／オフを切替部によって切り替えることができるので、地震計の性能、能力に依存することなく、より多くの記録媒体を備えることができる。
【００３４】
請求項２記載の発明によれば、請求項１に記載の発明と同様の効果が得られることは無論のこと、特に、地震計に備えられた複数の記録媒体のうち、検出データの記録が行われる記録媒体に対してのみ、検出データを記録するための電力の供給を行うように、切替制御手段が切替部における電力の供給のオン／オフ状態を切り替えることができるので、地震計に備えられた複数の記録媒体によりメモリ容量が増しているにもかかわらず、消費電力を最小限少なくして記録媒体に検出データを記録することができる。
【００３５】
請求項３記載の発明によれば、請求項２に記載の発明と同様の効果が得られることは無論のこと、特に、地震計に備えられた複数の記録媒体のうち、検出データの記録が行われる記録媒体において、判断手段により、検出データを記録するための記録領域がないと判断された場合に、その記録媒体に対する電力の供給を行わないように切替部をオフ状態に切り替えるとともに、判断手段により、検出データを記録するための記録領域があると判断された記録媒体に対する電力の供給を行うように切替部をオン状態に切り替えるので、より効率的に記録媒体に検出データを記録することができるとともに、より消費電力を少なく記録媒体に検出データを記録することができる。
【００３６】
請求項４記載の発明によれば、請求項１に記載の発明と同様の効果が得られることは無論のこと、特に、検出部によって地震振動に基づく検出データが検出されない状態において、待機状態切替制御手段が、全ての記録媒体に対して電力の供給を行わないように、切替部における電力の供給をオフ状態に切り替えるので、地震計の消費電力がより少なくなる地震待機状態とすることができる。
【図面の簡単な説明】
【図１】本発明にかかる地震計の構成を示すブロック図である。
【図２】本発明に係る地震計の動作を示すフローチャートである。
【図３】従来の地震計の構成を示すブロック図である。
【符号の説明】
１　　　アンプモジュール
２　　　Ａ／Ｄ変換部
３　　　ＣＰＵ（切替制御手段、判断手段、待機状態切替制御手段）
４　　　ＲＯＭ
５　　　ＲＡＭ
６　　　コントロール部
７　　　記録部
８　　　記録媒体
９　　　ドライバ（切替部）
１０　　検出部
２０　　地震計本体
３０　　ケーブル
４０　　バックアップ電源（電力供給部）
１００　地震計
【図１】
2004085438.tif 000003
【図２】
2004085438.tif 000004
【図３】
2004085438.tif 000005